(57)【要約】【課題】セルフレべリング材を使用した床の施工において、定木の隙間からセルフレベリング材が漏れることを防止すること。【解決手段】本発明の定木用接合部材１０は、互いに平行な二片の遮断部１１，１２と、二片の遮断部１１，１２を接続する接続部１３を備えたＨ字型の定木用接合部材である。【選択図】図１ａ
2005282214.tif 000002
【特許請求の範囲】
【請求項１】
互いに平行な二片の遮断部と、前記二片の遮断部を接続する接続部を備えたＨ字型の定木用接合部材。
【請求項２】
いずれも一ヶ所において直角に曲がった二片の遮断部と、前記二片の遮断部の直角に曲がった部分同士を接続する接続部を備えた定木用接合部材。
【請求項３】
前記二片の遮断部が離れる方向に一定の力を加えると、前記二片の遮断部が前記接続部において分離される、請求項１又は２に記載の定木用接合部材。
【請求項４】
少なくとも三ヶ所において直角に曲がった断面を有する定木用接合部材であって、前記三ヶ所のうちの一ヶ所における直角に曲がった方向は、他の連続した二ヶ所における直角に曲がった方向と反対である定木用接合部材。
【発明の詳細な説明】
【技術分野】
【０００１】
本発明は、セルフレベリング材を使用した施工技術に関し、特に、セルフレベリング材を施工対象の床に流し込む際に用いられる定木に関する。
【背景技術】
【０００２】
温水、空気又は電気等を利用した床暖房設備を設置するためには、設備設置部分の床面を他の部分の床面よりも低くして設備を入れるための空間を作る必要がある。そのために、コンクリート基礎上に流し込むと自然に水平な面を形成するセルフレベリング材が一般に用いられている。
【０００３】
このセルフレベリング材には樹脂、セメント等の種類があるが、いずれも水のような流動性を有している点で共通している。セルフレべリング材が流し込まれる範囲を決めるために、図１１に示すような定木が使用されている。一般的には、幅３５ミリメートル程度の定木がよく使用される。
【０００４】
図１２はセルフレベリング材により床面の高さに差がつけられた施工例を示す断面図である。図１２の例においては、コンクリート基礎９１上に定木９２が設置され、その上からセルフレベリング材９３，９４が流し込まれて異なる高さの水平な床面が形成される。定木９２は、その下方にあるモルタル又はセメント等からなる定木固定材９６により固定されている。図１３は、図１２の定木設置部分９５の拡大図である。
【０００５】
しかしながら、従来の床暖房設備の施工においては、単に定木を並べて配置するだけであったため、定木の隙間からセルフレベリング材が漏れるという問題点があった。そのため、施工者が意図した床面の高さの差が均一に実現されず、漏れた箇所で固体化したセルフレベリング材が床暖房設備の設置の妨げになる場合があった。
【特許文献１】実開平３−５０１４１公報
【特許文献２】実開平２−２７４３９公報
【発明の開示】
【発明が解決しようとする課題】
【０００６】
本発明が解決しようとする問題点は、従来のセルフレべリング材を使用した床の施工において、定木の隙間からセルフレベリング材が漏れるために床面の高さに不均衡を生じ、漏れた箇所で固体化したセルフレベリング材が床暖房設備の設置の妨げになり得る点である。
【課題を解決するための手段】
【０００７】
本発明による定木用接合部材は、互いに平行な二片の遮断部と、前記二片の遮断部を接続する接続部を備えたＨ字型の定木用接合部材であることにより、上記課題を解決する。
【０００８】
本発明による定木用接合部材は、いずれも一ヶ所において直角に曲がった二片の遮断部と、前記二片の遮断部の直角に曲がった部分同士を接続する接続部を備えていることにより、上記課題を解決する。
【０００９】
前記二片の遮断部が離れる方向に一定の力を加えると、前記二片の遮断部が前記接続部において分離されてもよい。
【００１０】
本発明による定木用接合部材は、少なくとも三ヶ所において直角に曲がった断面を有し、前記三ヶ所のうちの一ヶ所における直角に曲がった方向は、他の連続した二ヶ所における直角に曲がった方向と反対であることにより、上記課題を解決する。
【発明の効果】
【００１１】
本発明の定木用接合部材によれば、セルフレべリング材を使用した床の施工において、定木の隙間からのセルフレベリング材の漏れが防止される。これにより、床面の高さが施工者の意図した通りの均一な高さとなり、漏れた箇所で固体化したセルフレベリング材が床暖房設備の設置の妨げになる事態が防止される。
【発明を実施するための最良の形態】
【００１２】
以下、図面を参照しながら本発明の実施の形態について説明する。
【実施例１】
【００１３】
図１ａ〜ｃは、それぞれ本発明による定木用接合部材１０の平面図、正面図及び左側面図である。定木用接合部材１０は、互いに平行な二つの遮断部１１，１２と、遮断部１１，１２をつなぐ接続部１３を備えている。図１ａに示す通り、定木用接合部材１０の上面はＨ字型になっており、接続部１３に近づくに従って材料の層が薄くなるように構成されている。
【００１４】
定木用接合部材１０の二つの遮断部１１，１２はセルフレベリング材を通さない性質を有している。また、遮断部１１，１２は、一定の大きさ以上の力を加えることにより分離することが可能である。具体的には、遮断部１１と遮断部１２が離れるように互いに反対方向に一定の大きさ以上の力を加えた場合に、接続部１３において遮断部１１と遮断部１２が分離される。しかし、セルフレベリング材の流し込みの際に通常加わる程度の力によっては、遮断部１１と遮断部１２は分離されない。
【００１５】
好適には、定木用接合部材１０の材質は一体成形された合成樹脂である。また、定木用接合部材１０には木、金属又はセラミック等の任意の材質が用いられ得る。
【００１６】
図２ａは、定木用接合部材１０により定木２０を別の定木に接合した際の断面図である。図２ａにおいて、定木用接合部材１０の遮断部１１，１２は、定木２０の上部の左側及び右側をそれぞれ覆うように構成されている。図２ａにおいては、定木２０の形状との関係から、遮断部１２の上下の長さは遮断部１１の上下の長さよりも短く構成されている。
【００１７】
図２ｂは、施工対象のコンクリート基礎２５上において定木用接合部材１０により定木２０を別の定木に接合した際の断面図である。図２ｂにおいて、定木２０はセルフレベリング材２６，２７が流し込まれる範囲を決めるために設置されている。定木２０が定木固定材２８により固定されているのは従来と同様である。
【００１８】
定木２０から見て定木用接合部材１０の遮断部１１はセルフレべリング材２６側にあり、遮断部１２はセルフレべリング材２７側にある。定木２０の終端においては、図２ｂの符号２０に相当する部分に空間が出来てしまうが、遮断部１１，１２の存在により、セルフレベリング材２６が右側に向かって漏れることが防止されている。
【００１９】
図３ａは、定木用接合部材１０により定木２０を別の定木２１に接合した際の平面図である。定木用接合部材１０の遮断部１１，１２は、定木２０，２１の上部を挟み込むことにより定木２０，２１を接合している。図３ａに示すように、定木用接合部材１０は定木を一直線上に並べる部分に使用される。
【００２０】
図３ｂは、施工対象のコンクリート基礎２５上における図３ａの点線Ａ‐Ａ´の断面図である。図３ｂに示す部分は定木の隙間であるため、セルフレベリング材２６，２７は定木用接合部材１０の下で接触している。しかし、接続部１３により接続された遮断部１１，１２により、セルフレベリング材２６，２７の高さの違いは維持されている。
【００２１】
図２ｂにおいて、セルフレベリング材２６，２７が流し込まれ、これらが固化した後に遮断部１２を引っ張ることにより、接続部１３において遮断部１２は遮断部１１から分離される。これにより、セルフレベリング材による施工が終了した状態の床から遮断部１２のみを取り除くことが可能である。
【００２２】
遮断部１２はセルフレベリング材２７上の空間に存在するため、これを取り除くことができなけば、前記空間に床暖房設備等を設置する妨げになる恐れがある。しかし、本発明によれば遮断部１２のみを取り除くことが可能であるため、定木用接合部材１０が床暖房設備等の設置の障害となる可能性はほとんどない。
【００２３】
なお、定木用接合部材１０の左右を反転させたものも、本発明による定木用接合部材に含まれることは明らかである。すなわち、図１ｃにおいて左右を反転させた場合でも、図１ａ〜ｃの定木用接合部材１０について上記と同様の説明が可能である。この場合には、図２ａ，ｂ及び図３ｂについてもそれぞれ左右を反転させることとなる。
【実施例２】
【００２４】
図４ａ〜ｃは、それぞれ本発明による定木用接合部材３０の平面図、正面図及び右側面図である。定木用接合部材３０は、いずれも一ヶ所において直角に曲がった二つの遮断部３１，３２と、遮断部３１，３２の直角に曲がった部分同士をつなぐ接続部３３を備えている。
【００２５】
定木用接合部材３０の遮断部３１，３２がセルフレベリング材を通さない性質を有しており、反対方向に一定の大きさ以上の力を加えることにより分離することが可能である点については、実施例１の定木用接合部材１０の遮断部１１，１２と同様である。
【００２６】
定木用接合部材３０は、実施例１の定木用接合部材１０と同様に２つの定木を接合するために使用されるものであるが、二つの定木を直角に配置するコーナー部分に使用される点において定木用接合部材１０と異なる。
【００２７】
図５は、定木用接合部材３０により定木４０を別の定木４１に接合した際の平面図である。定木用接合部材３０の遮断部３１，３２は、定木４０、４１の上部を挟み込むことにより定木４０、４１を直角に接合している。なお、接合部材３０と定木４０の断面図は図２ａと同様であるため省略する。
【００２８】
流し込まれたセルフレベリング材が固化した後に定木用接合部材３０の遮断部３２を引っ張って遮断部３１から分離することにより、遮断部３２のみを取り除くことが可能である点については、実施例１と同様である。なお、定木用接合部材３０の左右を反転させたものも、本発明による定木用接合部材に含まれることは明らかである。すなわち、図４ａ〜図５において左右をそれぞれ反転させた場合でも上記と同様の説明が可能である。
【実施例３】
【００２９】
図６ａ〜ｃは、それぞれ本発明による定木用接合部材５０の平面図、正面図及び右側面図である。図６ｃに示す通り、定木用接合部材５０の側面は上端５１から始まり、中間部５２〜５６においてそれぞれ直角に曲がって終端５７まで続いている。中間部５２における曲げ方向は、中間部５３〜５６における曲げ方向と反対である。
【００３０】
図７ａは、接合部材５０により定木６０を別の定木に接合した際の断面図である。定木用接合部材５０は、図６ｃに示す側面と同一の形状の均一な断面を有する。図７ａに示す通り、定木用接合部材５０の断面は上端５１´から始まり、中間部５２´〜５６´においてそれぞれ直角に曲がって終端５７´まで続いている。
【００３１】
図７ｂは、施工対象のコンクリート基礎２５上において定木用接合部材５０により定木６０を別の定木に接合した際の断面図である。図７ｂにおいて、定木固定材６８により固定された定木６０は、セルフレベリング材６６，６７が流し込まれる範囲を決めるために設置されている。定木用接合部材５０は定木６０の外側を覆うように構成されており、これによって定木６０の終端の隙間からセルフレべリング材が漏れることを防止している。
【００３２】
図７ｂにおいて、定木６０は「上」の字状の断面を有しているが、このような定木６０に対してセルフレベリング材６６側を覆うためには、定木用接合部材５０は上端５１´から始まって定木６０に沿って少なくとも３回直角に曲がった断面を有する必要がある。図７ｂの例においては、定木用接合部材５０の断面が中間部５２´〜５４´において直角に曲がっていることによって、定木６０のセルフレベリング材６６側を覆っている。ここで、中間部５２´における曲げ方向は、後続の中間部５３´，５４´における曲げ方向と反対である。
【００３３】
図８ａ，ｂは、それぞれ定木用接合部材５０により定木６０を別の定木６１に接合した際の平面図及び底面図である。定木用接合部材５０は、定木６０，６１に嵌合することにより定木６０，６１を一直線に接合している。定木用接合部材５０は定木６０，６１の隙間を覆うように構成されており、これにより定木６０，６１の隙間からのセルフレべリング材の漏れを防いでいる。
【００３４】
なお、定木用接合部材５０の左右を反転させたものも、本発明による定木用接合部材に含まれることは明らかである。すなわち、図６ａ，ｂの上下をそれぞれ反転させ、図６ｃの左右を反転させても、上記と同様の説明が可能である。この場合には、図７ａ，ｂの左右をそれぞれ反転させ、図８ａの上下を反転させることとなる。
【実施例４】
【００３５】
図９ａ〜ｃは、それぞれ本発明による定木用接合部材７０の平面図、正面図及び右側面図である。図９ｂに示す通り、定木用接合部材７０の正面の終端は上端７１から始まり、中間部７２〜７６においてそれぞれ直角に曲がって終端７７まで続いている。中間部７２における曲げ方向は、中間部７３〜７６における曲げ方向と反対である。同様に、図９ｃに示す通り、定木用接合部材７０の正面の終端は上端７１´から始まり、中間部７２´〜７６´においてそれぞれ直角に曲がって終端７７´まで続いている。中間部７２´における曲げ方向は、中間部７３´〜７６´における曲げ方向と反対である。
【００３６】
定木用接合部材７０は、実施例３の定木用接合部材５０と同一の形状の均一な断面を有しているが、定木を直角に配置するコーナー部分に使用される点において定木用接合部材５０と異なる。
【００３７】
図１０ａ，ｂは、それぞれ定木用接合部材７０により定木８０を別の定木８１に接合した際の平面図及び底面図である。定木用接合部材７０は、定木８０，８１に嵌合することにより定木８０，８１を直角に接合している。定木用接合部材７０は定木８０，８１の隙間を覆うように構成されており、これにより定木８０，８１の隙間からのセルフレべリング材の漏れを防いでいる。なお、定木用接合部材７０と定木８０の断面図は図７ａ，ｂと同様であるため省略する。
【００３８】
なお、定木用接合部材７０の左右を反転させたものも、本発明による定木用接合部材に含まれることは明らかである。すなわち、図９ａ〜図１０ｂの左右をそれぞれ反転させても、上記と同様の説明が可能である。
【００３９】
以上に述べた実施例１〜４を組み合わせることにより、直線と直角コーナーの組み合わせにより囲まれた任意の領域について、セルフレベリング材を使用した床の施工を行うことができる。例えば、実施例１，２の組み合わせ又は実施例３，４の組み合わせが利用され得る。
【００４０】
また、実施例１〜４が、床暖房設備設置の目的以外でのセルフレベリング材を使用した床の施工や、定木を使用した各種施工技術に応用され得ることは当業者にとって自明である。
【産業上の利用可能性】
【００４１】
床暖房設備の設置など、セルフレベリング材を使用した床の施工に適用できる。
【図面の簡単な説明】
【００４２】
【図１ａ】本発明による定木用接合部材の平面図である。（実施例１）
【図１ｂ】本発明による定木用接合部材の正面図である。（実施例１）
【図１ｃ】本発明による定木用接合部材の左側面図である。（実施例１）
【図２ａ】定木用接合部材により定木を別の定木に接合した際の断面図である。（実施例１）
【図２ｂ】コンクリート基礎上において定木用接合部材により定木を別の定木に接合した際の断面図である。（実施例１）
【図３ａ】定木用接合部材により定木を別の定木に接合した際の平面図である。（実施例１）
【図３ｂ】コンクリート基礎上における図３ａの点線Ａ‐Ａ´の断面図である。（実施例１）
【図４ａ】本発明による定木用接合部材の平面図である。（実施例２）
【図４ｂ】本発明による定木用接合部材の正面図である。（実施例２）
【図４ｃ】本発明による定木用接合部材の右側面図である。（実施例２）
【図５】定木用接合部材により定木を別の定木に接合した際の平面図である。（実施例２）
【図６ａ】本発明による定木用接合部材の平面図である。（実施例３）
【図６ｂ】本発明による定木用接合部材の正面図である。（実施例３）
【図６ｃ】本発明による定木用接合部材の右側面図である。（実施例３）
【図７ａ】定木用接合部材により定木を別の定木に接合した際の断面図である。（実施例３）
【図７ｂ】コンクリート基礎上において定木用接合部材により定木を別の定木に接合した際の断面図である。（実施例３）
【図８ａ】定木用接合部材により定木を別の定木に接合した際の平面図である。（実施例３）
【図８ｂ】定木用接合部材により定木を別の定木に接合した際の底面図である。（実施例３）
【図９ａ】本発明による定木用接合部材の平面図である。（実施例４）
【図９ｂ】本発明による定木用接合部材の正面図である。（実施例４）
【図９ｃ】本発明による定木用接合部材の右側面図である。（実施例４）
【図１０ａ】定木用接合部材により定木を別の定木に接合した際の平面図である。（実施例４）
【図１０ｂ】定木用接合部材により定木を別の定木に接合した際の底面図である。（実施例４）
【図１１】一般的な定木を示す部分斜視図である。
【図１２】セルフレベリング材により床面の高さに差がつけられた施工例を示す断面図である。
【図１３】図１２の定木設置部分の拡大図である。
【符号の説明】
【００４３】
１０，３０，５０，７０  定木用接合部材
１１，１２，３１，３２  遮断部
１３，３３  接続部
２０，２１，４０，４１，６０，６１，８０，８１，９２  定木
２５，９１  コンクリート基礎
２６，２７，９３，９４  セルフレベリング材
２８，６８，９６  定木固定材
５１，５１´，７１，７１´  上端
５２，５２´，５３，５３´，５４，５４´，５５，５５´，５６，５６´，７２，７２´，７３，７３´，７４，７４´，７５，７５´，７６，７６´  中間部
５７，５７´，７７，７７´  終端
９５  定木設置部分
Ａ，Ａ´  断面
【図１ａ】
2005282214.tif 000003
【図１ｂ】
2005282214.tif 000004
【図１ｃ】
2005282214.tif 000005
【図２ａ】
2005282214.tif 000006
【図２ｂ】
2005282214.tif 000007
【図３ａ】
2005282214.tif 000008
【図３ｂ】
2005282214.tif 000009
【図４ａ】
2005282214.tif 000010
【図４ｂ】
2005282214.tif 000011
【図４ｃ】
2005282214.tif 000012
【図５】
2005282214.tif 000013
【図６ａ】
2005282214.tif 000014
【図６ｂ】
2005282214.tif 000015
【図６ｃ】
2005282214.tif 000016
【図７ａ】
2005282214.tif 000017
【図７ｂ】
2005282214.tif 000018
【図８ａ】
2005282214.tif 000019
【図８ｂ】
2005282214.tif 000020
【図９ａ】
2005282214.tif 000021
【図９ｂ】
2005282214.tif 000022
【図９ｃ】
2005282214.tif 000023
【図１０ａ】
2005282214.tif 000024
【図１０ｂ】
2005282214.tif 000025
【図１１】
2005282214.tif 000026
【図１２】
2005282214.tif 000027
【図１３】
2005282214.tif 000028